(57)【要約】【課題】誤検知の原因となる煙導入部や検煙部内に存在する塵埃等を簡単かつ効果的に除去可能な煙検出装置を提供する。【解決手段】本発明に係る煙検出装置１は、煙を導入する煙導入部７と、発光素子３９と発光素子３９の散乱光を受光する受光素子４１を有し煙導入部７から導入した煙を検知する検煙部９とを備えた煙検出装置１であって、煙導入部７の内部に連通するように形成された連通孔１１と、連通孔１１を閉塞する着脱可能な栓部材１３とを備えたことを特徴とするものである。【選択図】  図１
2019053378.tif 000002
【特許請求の範囲】
【請求項１】
煙を導入する煙導入部と、発光素子と該発光素子の散乱光を受光する受光素子を有し前記煙導入部から導入した煙を検知する検煙部とを備えた煙検出装置であって、
前記煙導入部の内部に連通するように形成された連通孔と、該連通孔を閉塞する着脱可能な栓部材とを備えたことを特徴とする煙検出装置。
【請求項２】
前記検煙部は前記煙導入部の上方に設けられ、前記栓部材を取り外した状態で前記検煙部に光が入射しないように構成されていることを特徴とする請求項１記載の煙検出装置。
【請求項３】
前記連通孔は、前記煙導入部の底面の中央に形成され、前記栓部材の内面が前記煙導入部に導入した煙を上方の検煙部に誘導する煙誘導部としての機能を有していることを特徴とする請求項２記載の煙検出装置。
【請求項４】
前記栓部材は、塵埃が付着するシリコンゴムによって形成されていることを特徴とする請求項１乃至３のいずれか一項に記載の煙検出装置。
【発明の詳細な説明】
【技術分野】
【０００１】
本発明は、煙感知器、煙式の警報器等のようにラビリンスに囲まれた煙導入部に導入された煙を検知する煙検出装置に関する。
【背景技術】
【０００２】
煙検出装置は、壁面又は天井面に取り付けられて、火災発生時には煙導入部に煙が導入される構造である。このため、設置されている期間の経過と共に煙導入部内のラビリンス等に埃等が堆積して、煙検知能力が低下するという問題がある。
煙検出装置を天井面から取り外してラビリンス等を清掃することも可能ではあるが、手間がかかる。そこで、壁面あるいは天井に取り付けられたままで、住宅用等の掃除機によって、手軽に掃除できるようにした住宅用火災警報器が特許文献１に提案されている。
【０００３】
特許文献１に開示の住宅用火災警報器は、ラビリンス壁に囲まれた煙感知室内に煙検出素子を配置して構成された検知部をヘッド部に設けた住宅用火災警報器において、前記ヘッド部を構成する本体カバーに吸気孔を形成すると共に、前記検知部の内部に通気孔を形成して、前記住宅用火災警報器の外部から前記煙感知室に連通する通気路を設けた構造にしたものである（請求項１参照）。
【０００４】
そして、上記の住宅用火災警報器によれば、壁面あるいは天井面に取り付けたままの状態で、住宅用掃除機等、清掃装置の吸気管を検知部に被せて空気を吸引するだけで、吸気孔、通気孔等によって形成された通気路を通じて、警報器の外部から煙検知室に流入し、更に煙検知室から排出される空気の流れが形成されるので、その空気の流れによって、煙感知室のラビリンス壁、防虫網、保護カバー等に堆積した埃等を効率的に除去できる、としている。
【先行技術文献】
【特許文献】
【０００５】
【特許文献１】特開２０１０−３３２３８号公報
【発明の概要】
【発明が解決しようとする課題】
【０００６】
特許文献１に開示された住宅用火災警報器は、清掃装置の吸気管を検知部全体に被せて空気を吸引するため、気流は、警報器の外部から煙検知室に流入し、更に煙検知室から防虫網を介して排出されるという流れになる。
このため、煙感知室に入ることなく防虫網の外面に付着した埃等は効果的に除去できると思われる。
しかしながら、発明者の知見によると、防虫網の外側に付着した埃等による煙の流入阻害に起因する誤検知よりも、煙感知室内に侵入した微粒子による光の散乱に起因する誤検知の方が圧倒的に多いことが分かっている。
そのため、特許文献１のような気流の流れでは、防虫網を介して気流が流れるため、気流の流れが遅くなり、また防虫網の内側から外側に向かって気流が流れるため、煙検知室内（防虫網内側）の微粒子からなる塵埃等を効果的に除去することができないという問題がある。
【０００７】
本発明はかかる課題を解決するためになされたものであり、誤検知の原因となる煙導入部や検煙部内に存在する塵埃等を簡単かつ効果的に除去可能な煙検出装置を提供することを目的としている。
【課題を解決するための手段】
【０００８】
（１）本発明に係る煙検出装置は、煙を導入する煙導入部と、発光素子と該発光素子の散乱光を受光する受光素子を有し前記煙導入部から導入した煙を検知する検煙部とを備えた煙検出装置であって、
前記煙導入部の内部に連通するように形成された連通孔と、該連通孔を閉塞する着脱可能な栓部材とを備えたことを特徴とするものである。
【０００９】
（２）また、上記（１）に記載のものにおいて、前記検煙部は前記煙導入部の上方に設けられ、前記栓部材を取り外した状態で前記検煙部に光が入射しないように構成されていることを特徴とするものである。
【００１０】
（３）また、上記（２）に記載のものにおいて、前記連通孔は、前記煙導入部の底面の中央に形成され、前記栓部材の内面が前記煙導入部に導入した煙を上方の検煙部に誘導する煙誘導部としての機能を有していることを特徴とするものである。
【００１１】
（４）また、上記（１）乃至（３）のいずれかに記載のものにおいて、前記栓部材は、塵埃が付着するシリコンゴムによって形成されていることを特徴とするものである。
【発明の効果】
【００１２】
本発明の煙検出装置においては、煙を導入する煙導入部と、発光素子と該発光素子の散乱光を受光する受光素子を有し前記煙導入部から導入した煙を検知する検煙部とを備えたものであって、前記煙導入部の内部に連通するように形成された連通孔と、該連通孔を閉塞する着脱可能な栓部材とを備えたことにより、誤検知の原因となる煙導入部や検煙部内に存在する塵埃等を簡単かつ効果的に除去することができる。
【図面の簡単な説明】
【００１３】
【図１】本発明の実施の形態１に係る煙検出装置の斜視図である。
【図２】図１に示した煙検出装置の分解斜視図である。
【図３】図１に示した煙検出装置の断面図である。
【図４】図１に示した煙検出装置の清掃時の状態を説明する説明図である。
【図５】本発明の実施の形態２に係る煙検出装置の斜視図である。
【図６】図５に示した煙検出装置の分解斜視図である。
【図７】図５に示した煙検出装置の断面図である。
【図８】図５に示した煙検出装置における煙導入部の分解した状態及び栓部材の斜視図である。
【図９】図５に示した煙検出装置における検煙部の説明図である。
【図１０】図５に示した煙検出装置の清掃時の状態を説明する説明図である。
【発明を実施するための形態】
【００１４】
［実施の形態１］
本実施の形態に係る煙検出装置１は、煙を導入する煙導入部７と、導入された煙を検知する検煙部９が水平方向で同じ高さに位置するものであって、図１〜図３に示すように、外カバー３と裏カバー５からなる筺体内に、煙を導入する煙導入部７と、煙導入部７から導入した煙を検知する検煙部９と、煙導入部７の内部に連通するように形成された連通孔１１と、連通孔１１を閉塞する着脱可能な栓部材１３とを備えている。
以下、各構成を詳細に説明する。
なお、図１に示す煙検出装置１の向きは天井面に取り付けた状態と同じ向きであり、本明細書において「上」とは、煙検出装置１を天井面に設置した状態において「上」側（天井面側）をいい、「下」とは「下」側（天井面の下方側）をいう。
【００１５】
＜外カバー＞
外カバー３は、上部が開口した扁平な円筒状の本体部１５と、本体部１５の中央部に下方に突出した本体部１５よりも小径の有底円筒状の突出部１７を備えている。本体部１５の外周面には確認灯１９が設けられている。
突出部１７の周壁には、煙が流入するための矩形状の窓部２１が形成されている。また、突出部１７の底面には、図２に示すように、連通孔１１を構成する第１開口部２３が設けられている。第１開口部２３の周縁は、図２に示すように、下部が拡径して第１段部２５が形成されている。
【００１６】
＜裏カバー＞
裏カバー５は、図２、図３に示すように、円盤状の板状体からなり、外カバー３の上部開口を覆うものである。
裏カバー５の内面側には、検煙部９を搭載したプリント基板２７が取り付けられている。
【００１７】
＜煙導入部＞
煙導入部７は、窓部２１から流入した煙を検煙部９に導入するものであり、図２に示すように、周面が開口した有底の円筒体２９と、円筒体２９内に挿入されるラビリンス壁体３１と、円筒体２９の開口を覆うように配設される防虫網３３とを備えている。
円筒体２９の底部には、連通孔１１を構成する第２開口部３５が形成されている。第２開口部３５における内面側の周縁は上部が拡径して第２段部３７が形成されている（図４参照）。
組立状態では、円筒体２９の第２開口部３５と外カバー３の第１開口部２３は同径で連通して連通孔１１となる（図４参照）。なお、第１段部２５は第２段部３７より大径である。これは、第２段部３７の方が第１段部２５より大径では後述する栓部材１３が挿入できないためであり、また、第１段部２５と第２段部３７を同径にすると製造誤差により中心がずれると栓部材１３が挿入できにくくなるためである。
【００１８】
＜検煙部＞
検煙部９は、煙導入部７からラビリンス壁体３１内の検煙空間に導入した煙を検知する部分であり、発光素子３９と、煙による散乱光を受光する受光素子４１とを備えている。
プリント基板２７は、検煙部９の上面側に取り付けられて電装品が搭載されている。そして、プリント基板２７の上面側が裏カバー５によって覆われている。
【００１９】
＜栓部材＞
第１開口部２３と第２開口部３５が連通して形成される連通孔１１を閉塞するものであり、例えば可撓性を有するシリコンゴムなどで形成されている。
栓部材１３は、図４に示すように、上下にフランジ部４３ａ、ｂを有する形状をしている。それぞれのフランジ部４３は、第１段部２５および第２段部３７の径に合わせて形成されており、上のフランジ部４３ａより下のフランジ部４３ｂの方が大径である。そして、上下のフランジ部４３ａ、４３ｂがそれぞれ第２段部３７、第１段部２５に配置されて、光と塵埃が煙導入部７に入るのを防止している。
栓部材１３をシリコンゴムのように可撓性がある部材で形成することで、栓部材１３を変形させるだけで容易に取り外し及び取り付けができる。
また、シリコンゴムの場合には塵埃が付着しやすいので、栓部材１３をシリコンゴムで形成することで検煙部９に塵埃が浮遊するのを防止することで誤検知を防止できる。
もっとも、栓部材１３の材質や取り付け方法が特に限定されるものではなく、例えば材質は樹脂にしてもよく、取付方法はねじ込み式にしてもよい。
【００２０】
上記のように構成された煙検出装置１においては、天井面等に設置して所定の期間が経過等して清掃が必要になったときには、煙検出装置１を天井面等に取り付けた状態で、図４に示すように、栓部材１３を取り外し、掃除機等の吸引ノズル４４の先端口で第１開口部２３を覆うようにして吸引する。
吸引によって、図４の太実線の矢印で示すように、検煙部９の外部から内部に向かい連通孔１１から排出される気流の流れが発生し、検煙部９内のラビリンス壁体３１等に付着している塵埃を確実に除去することができる。
吸引が終われば、栓部材１３を装着して清掃完了となる。
【００２１】
以上のように、本実施の形態の煙検出装置１によれば、検煙部９の外部から内部に向かう気流の流れをつくり、検煙部９の内部に直に連通する連通孔１１から吸引することができるので、誤検知の原因となる検煙部９内部の塵埃等を確実に除去することができる。
【００２２】
［実施の形態２］
実施の形態１の煙検出装置１は、煙導入部７と検煙部９が水平方向で同じ高さ位置に存在するものであったが、本実施の形態に係る煙検出装置４５は、下部に煙を導入する煙導入部４７があり、煙導入部４７の上方に検煙部４９がある、いわゆる２段式のものである（図７参照）。なお、実施の形態１と同一部分や対応する部分には同一の符号を付して説明を省略する。
本実施の形態の煙検出装置４５は、図５〜図１０に示すように、外カバー３と裏カバー５からなる筺体内に、煙を導入する煙導入部４７と、煙導入部４７の上方に設けられて導入された煙を検知する検煙部４９と、煙導入部４７の内部に連通するように突出部１７に形成された連通孔１１と、連通孔１１を閉塞する着脱可能な栓部材５１とを備えている。
【００２３】
＜外カバー＞
外カバー３の形状は実施の形態１のものとほぼ同じであるが、突出部１７の底面に設けられる第１開口部２３が実施の形態１のものよりも大きい。これは、後述するように第１開口部２３に装着する栓部材５１が、導入された煙を検煙部４９に誘導する煙誘導部としての機能を有しているためである。したがって、栓部材５１がこのような機能を有していない場合には、第１開口部２３の大きさは実施の形態１と同様に小さくてもよい。
【００２４】
＜煙導入部＞
煙導入部４７は、窓部２１から流入した煙を検煙部４９に導入するものであり、図６に示すように、周面が開口した有底の円筒体５３と、円筒体５３内に挿入される流路形成部材５５とを備えて構成される。
円筒体５３の底部には、連通孔１１を構成する第２開口部３５が形成されている。第２開口部３５は、外カバー３の突出部１７に形成された第１開口部２３と同様に実施の形態１よりも大径である。
【００２５】
流路形成部材５５は、概略ドーナツ状の形状をしており、その外周側は内側下方に向かって傾斜した第１傾斜面５７となっており、内周側は中央に向かって上方に傾斜する第２傾斜面５９となっている。そして、第１傾斜面５７及び第２傾斜面５９には、多数の板状体６１を所定の間隔で周方向に並べて設置することで多数のスリット６３が形成されている。
【００２６】
流路形成部材５５によって、煙の流路は、図７の太破線の矢印で示すように、ジグザグになる。これによって、煙と湯気等の煙以外の物質との質量等の差を利用して、煙は通過できるが、湯気等は板状体６１に捕捉されるようになっており、湯気等に基づく誤検知が防止されている。
【００２７】
また、多数の板状体６１を設けると共に煙の流路をジグザグにしたことで、煙導入部４７は外部の光が反射を繰り返して減衰することで入り難くする迷光部としての機能も有している。
このため、栓部材５１を外した状態でも、光が検煙部４９に入り難いという特徴があり、後述するように、栓部材５１を外して清掃する際に、受信機をＯＦＦにすることなく、他の煙検出器での検知状態を維持したままでの清掃が可能になっている。
なお、流路形成部材５５は、外光を減衰させるために黒色の部材で形成するのが好ましい。
【００２８】
＜検煙部＞
検煙部４９は、図９に示すように、内周壁に光トラップ６５が形成された円筒状部を有し、円筒状部の内部が検煙空間となり、検煙空間には発光素子３９と、煙による散乱光を受光する受光素子４１とが設けられている。
検煙部４９の上面側には電装品が搭載されたプリント基板２７が設けられ、プリント基板２７の上面側が裏カバー５によって覆われている。
【００２９】
＜栓部材＞
栓部材５１の材質等は実施の形態１と同様であるが、その形状が異なっている。本実施の形態の栓部材５１は、図７〜図９に示すように、上面が円錐面部６７になっており、この円錐面部６７が煙導入部４７の内部に延在して流路形成部材５５と協働して煙流路を形成すると共に煙導入部４７に導入された煙を検煙部４９に誘導する煙誘導部として機能する。
【００３０】
なお、本実施の形態の栓部材５１は、煙誘導部としての機能を有することがから、その上面の面積が大きい。そのため、シリコンゴムのように塵埃等が付着しやすい材質で形成して栓部材５１に塵埃等が付着するようにすれば、より好ましい。
なお、栓部材５１は取り外しが容易なので、簡単に洗浄することができる。
【００３１】
上記のように構成された煙検出装置４５においては、煙は煙導入部４７を通過して検煙部４９に至る（図７参照）。そのため、湯気や塵埃等は検煙部４９に至る前に煙導入部４７に捕獲され、誤検知が防止されている。もっとも、煙導入部４７に捕獲された塵埃等を除去する必要があるが、この場合には、実施の形態１と同様に、図１０に示すように、栓部材５１を取り外して、掃除機等の吸引ノズル４４の先端口で連通孔１１を覆うようにして吸引する。これによって、検煙部４９の外部から内部に向かい連通孔１１から排出される気流の流れが発生し、検煙部４９内の流路形成部材５５等に付着している塵埃を確実に除去することができる。
【００３２】
また、前述したように、本実施の形態では検煙部４９が煙導入部４７より上方にあるため（２段式のため）、栓部材５１を外した状態でも、光が検煙部４９に入射せず、栓部材５１を外して清掃する際に、受信機をＯＦＦにすることなく、他の煙検出器の火災監視状態を維持したままでの清掃が可能である。
なお、ここでは煙導入部４７は流路形成部材５５を備えているものとして説明したが、実施の形態１のようなラビリンス壁体を備える煙導入部と、煙導入部の上方に設けられる検煙部４９とからなる２段式の煙検出装置であっても、同様の効果を得ることができる。
【符号の説明】
【００３３】
１  煙検出装置（実施の形態１）
３  外カバー
５  裏カバー
７  煙導入部
９  検煙部
１１  連通孔
１３  栓部材
１５  本体部
１７  突出部
１９  確認灯
２１  窓部
２３  第１開口部
２５  第１段部
２７  プリント基板
２９  円筒体
３１  ラビリンス壁体
３３  防虫網
３５  第２開口部
３７  第２段部
３９  発光素子
４１  受光素子
４３ａ、ｂ  フランジ部
４４  吸引ノズル
４５  煙検出装置(実施の形態２)
４７  煙導入部
４９  検煙部
５１  栓部材
５３  円筒体
５５  流路形成部材
５７  第１傾斜面
５９  第２傾斜面
６１  板状体
６３  スリット
６５  光トラップ
６７  円錐面部
【図１】
2019053378.tif 000003
【図２】
2019053378.tif 000004
【図３】
2019053378.tif 000005
【図４】
2019053378.tif 000006
【図５】
2019053378.tif 000007
【図６】
2019053378.tif 000008
【図７】
2019053378.tif 000009
【図８】
2019053378.tif 000010
【図９】
2019053378.tif 000011
【図１０】
2019053378.tif 000012